(57)【要約】【課題】隙間塞ぎカバー部が設けてある足場板の場合でも、ステップ取付け後にステップの表側からロック部材のロック解除が行えるコーナーステップを提供する。【解決手段】コーナー部において互いに直交する一方の足場板の妻側端部と他方の足場板の桁側端部との間の隙間を塞ぐためのコーナーステップであって、ステップ本体１２の前端部の左右両端にフック本体１３，１３を突設すると共に、ステップ本体１２前端部の左右方向中間部下面側にロック部材取付用のブラケット１４を突設し、ブラケット１４にはロック片１５を有するロック部材１８を、ロックピン２０を介して、ロック片１５が足場用建枠２の横材３に係合してフック本体１３の上方移動を阻止するロック位置とフック本体１３の上方移動を許すロック解除位置とに位置変更可能に取り付け、操作用開口部２４をステップ本体１２の前端部に設けてなる。【選択図】図２
2008050825.tif 000002
【特許請求の範囲】
【請求項１】
枠組足場の足場板によって形成される作業床兼用の通路とこれに直交する他の通路とが交差するコーナー部において互いに直交する一方の足場板の妻側端部と他方の足場板の桁側端部との間の隙間を塞ぐようにしたコーナーステップであって、
矩形板状ステップ本体の前端部の左右両端に、足場用建枠の横材に対し上方から嵌脱自在に係止されるフック本体を突設すると共に、ステップ本体前端部の左右方向中間部下面側には左右一対のブラケットを取り付け、両ブラケット間には、前記横材に対しフック本体の上方への移動を阻止する左右一対のロック片を有するロック部材を配置し、各ブラケットとロック部材との間には、基端側の枢軸部とこれに平行な先端側の係止軸部を有する略Ｕ字状のロックピンを介装すると共に、各ロックピンと各ブラケットとの間には係止軸部をブラケットに設けた係止孔に係入するように付勢するバネを介装し、ロック部材は、各ロックピンの枢軸部によりロック位置とロック解除位置とに亘って回転可能に各ブラケットに軸支され、常時は係止軸部をブラケットに設けた係止孔に係止することによりロック位置にロックされるようにし、しかして両ロックピンをステップ本体の前端部に設けた２つの操作用開口部より２本の指を差し込んで両ロックピンを引き寄せることにより、両係止軸部を係止穴から抜いてロック解除するようにしたコーナーステップ。
【請求項２】
前記ロック部材と各ブラケットとの間には、各ロックピンの係止軸部が各ブラケットの係止孔から離脱した状態でロック部材をロック位置に付勢するバネを介装してなる請求項１に記載のコーナーステップ。
【発明の詳細な説明】
【技術分野】
【０００１】
本発明は、足場板のコーナーステップに関するもので、枠組足場の足場板によって形成される作業床兼用の通路とこれに直交する他の作業床兼用通路とが交差するコーナー部において互いに直交する一方の足場板の妻側端部と他方の足場板の桁側端部との間の隙間を塞ぐように前記一方の足場板が掛け渡される足場用建枠の横材に取り付けられるコーナーステップに関する。
【背景技術】
【０００２】
従来のコーナーステップとして、特許公開公報等の番号を具体的に示すことはできないが、現在使用されているコーナーステップを図７及び図８を参照して具体的に説明する。図７に示すように、枠組足場の足場板１によって夫々形成される作業床兼用の例えば縦通路Ｐ１と、この縦通路Ｐ１と直交する横通路Ｐ２とが交差するコーナー部において、横通路Ｐ２の足場板１の妻側端部と縦通路Ｐ１の桁側端部との間には、その中に介在する足場用建枠２の横材３を除いて例えば６〜７ｃｍの隙間Ｓができ、この隙間Ｓを放置しておくと危険であるため、この隙間Ｓを塞ぐようにコーナーステップ５１が取り付けられる。
【０００３】
この従来のコーナーステップ５１は、図８の(a) 〜(c) に示すように、矩形板状ステップ本体５２の前端部の左右両端に足場板１と同様なフックＦを取り付けたものからなる。フックＦは、足場用建枠２の横材３に対し上方から嵌脱自在に係止されるフック本体５３と、横材３に係合してフック本体５３の上方向への移動を阻止するための一般に落下錠と称される円弧状ロック部材５４とから構成され、ロック部材５４は、上下２箇所の長孔５５，５６に夫々通されてフック本体５３に固着されたピン５７，５８により、図８の(c)
に実線で示すロック位置と二点鎖線で示すロック解除位置との間でスライド自在に取り付けて、常時は自重でロック位置に保持し、このロック位置で、フック本体５３とロック部材５４とで横材３の外周の半周以上を抱持する状態となって、フック本体５３の上方向への移動を阻止し、足場板１の浮き上がりを防止する。尚、図７から分かるように、ステップ本体５２の幅は、足場板１と同じで、長さは、足場板１の幅とほぼ同じである。
【０００４】
しかして、このコーナーステップ５１の取付けにあたっては、図７に示すように、横通路Ｐ２の足場板１が掛け渡されている足場用建枠２の横材３にフックＦ，Ｆを係止して、ステップ本体５２の後端部側を横通路Ｐ１側の足場板１に載置することにより、コーナー部における横通路Ｐ２の足場板１の妻側端部と縦通路Ｐ１の桁側端部との間に隙間Ｓを塞いで、作業の安全を図ることができる。フックＦを横材３に係止する時は、ロック部材５４を引き上げてロック解除した状態からフック本体５３を横材３に上方から係止すれば、ロック部材５４は自重で下動してロック位置となる。そして、コーナーステップ５１を取り外す時は、図７に示すように、横通路Ｐ２側の足場板１の妻側端面と足場用建枠２の横材３との間の３〜４ｃｍの隙間ｓから横材３の下面側に手を差し込んで、各フックＦのロック部材５４を持ち上げて、ロック解除すればよい。
【発明の開示】
【発明が解決しようとする課題】
【０００５】
従来のコーナーステップ５１では、このステップ５１をコーナー部に取り付けた後で、これを取り外す時には、上記のように、足場板１の妻側端面と足場用建枠２の横材３との間の隙間ｓから横材３の下面側に手を差し込んで、各フックＦのロック部材５４を引き上げてロック解除するようにしているが、使用する足場板によっては、足場板の妻側端面と足場用建枠の横材との間に隙間がない場合があり、その場合にはロック部材の解除操作ができないため、コーナーステップの取付けができないことなる。図９の(a) は足場板１の妻側端面ａと足場用建枠２の横材３との間に隙間ｓができる場合を示し、(b) は足場板１の妻側端部に横材３との隙間を塞ぐ隙間塞ぎカバー部Ｋが取り付けてある場合を示す。図９の(a) ，(b) において、４は足場用建枠２の縦材、５は横材３に係止される足場板１のフックを示す。
【０００６】
本発明は、上記の課題に鑑み、妻側端部に横材との隙間を塞ぐ隙間塞ぎカバー部が設けてある足場板の場合でも、ステップ取付け後にステップの表側からロック部材のロック解除を簡単に行えるようにしたコーナーステップを提供することを目的とする。
【課題を解決するための手段】
【０００７】
上記課題を解決するための手段を、後述する実施形態の参照符号を付して説明すると、請求項１に係る発明は、枠組足場の足場板１によって形成される作業床兼用の通路Ｐ１とこれに直交する他の通路Ｐ２とが交差するコーナー部において互いに直交する一方の足場板１の妻側端部と他方の足場板１の桁側端部との間の隙間を塞ぐようにしたコーナーステップであって、
矩形板状ステップ本体１２の前端部の左右両端に、足場用建枠２の横材３に対し上方から嵌脱自在に係止されるフック本体１３，１３を突設すると共に、ステップ本体１２前端部の左右方向中間部下面側には左右一対のブラケット１４，１４を取り付け、両ブラケット１４，１４間には、前記横材３に対しフック本体１３の上方への移動を阻止する左右一対のロック片１５，１５を有するロック部材１８を配置し、各ブラケット１４とロック部材１８との間には、基端側の枢軸部ａとこれに平行な先端側の係止軸部ｂを有する略Ｕ字状のロックピン２０を介装すると共に、各ロックピン２０と各ブラケット１４との間には係止軸部ｂをブラケット１４に設けた係止孔２１に係入するように付勢するバネ２２を介装し、ロック部材１８は、各ロックピン２０の枢軸部ａによりロック位置とロック解除位置とに亘って回転可能に各ブラケット１４に軸支され、常時は係止軸部ｂをブラケット１４に設けた係止孔２１に係止することによりロック位置にロックされるようにし、しかして両ロックピン２０，２０をステップ本体１２の前端部に設けた２つの操作用開口部２４，２４より２本の指を差し込んで両ロックピン２０，２０を引き寄せることにより、両係止軸部ｂを係止孔２１から抜いてロック解除するようにしたことを特徴としている。
【０００８】
請求項２は、請求項１に記載のコーナーステップにおいて、前記ロック部材１８と各ブラケット１４との間には、各ロックピン２０の係止軸部ｂが各ブラケット１４の係止孔２１から離脱した状態でロック部材１８をロック位置に付勢するバネ２３を介装してなることを特徴とする。
【発明の効果】
【０００９】
上記解決手段による発明の効果を、後述する実施形態の参照符号を付して説明すると、請求項１に係る発明によれば、使用する足場板１が、その妻側端部に横材３との隙間を塞ぐ隙間塞ぎカバー部Ｋを有するものであっても、コーナーステップ１１の取付け後にステップ本体１２の表側からロック部材１８のロック解除を行うことができる。
【００１０】
そして、このコーナーステップによれば、左右一対のロックピン２０，２０をステップ本体１２の前端部に設けた２つの操作用開口部２４，２４より２本の指を差し込んで両ロックピン２０，２０を引き寄せることによって、ロック位置にある両係止軸部ｂ，ｂを係止孔２１，２１から抜いてロック解除するようにしたから、ロック部材１８のロック解除操作をステップ本体１２の表側から作業者の手の２本の指で簡単容易に行うことができる。
【００１１】
請求項３に係る発明のコーナーステップによれば、操作用開口部２４，２４から指で両ロックピン２０，２０を引き寄せることにより両係止軸部ｂ，ｂを係止孔２１，２１から抜いてロック解除した後、両ロックピン２０，２０から指を放すと、バネ２３によってロック部材１８がロック位置に回動するように付勢されるから、ロック部材１８のロック操作が容易で、コーナーステップ１１の取付作業が容易となる。
【発明を実施するための最良の形態】
【００１２】
以下に本発明の好適な実施形態について図面に基づき説明すると、図１の(a) は本発明に係るコーナーステップ１１の取付状態を示す全体概略平面図、(b) は同取付状態の側面図、図２は図１の一部拡大平面図である。図３の(a) は図２のＸ−Ｘ線断面図、(b) は図２のＹ−Ｙ線断面図であり、図４はコーナーステップ１１の要部構造を下面側から見た底面図である。図１は、従来のコーナーステップ５１を示す図７と同じく、枠組足場の足場板１によって夫々形成される作業床兼用の縦通路Ｐ１と、この縦通路Ｐ１と直交する横通路Ｐ２とが交差するコーナー部を示しているが、各足場板１は、図９の(b) に示すように妻側端部に横材３との隙間を塞ぐ隙間塞ぎカバー部Ｋが設けてあるタイプの足場板である。
【００１３】
コーナーステップ１１は、図１の(a) ，(b) に示すように、金属板で形成された平面視矩形状のステップ本体１２からなるもので、ステップ本体１２の表面１２ａには滑り止め止めが施されている。この矩形板状ステップ本体１２には前端部の左右両端に、足場用建枠２の横材３に対して上方から嵌脱自在に係止されるフック本体１３，１３が突設され、そしてステップ本体１２の前端部下面側には両フック本体１３，１３間の中間部に、左右一対のロック部材取付用ブラケット１４，１４が取り付けられ、両ブラケット１４，１４間には、足場用建枠２の横材３に対しフック本体１３の上方への移動を阻止する円弧状のロック片１５を夫々形成した左右一対の耳片１６，１６と、両耳片１６，１６をつなぐ連結片１７とからなるロック部材１８が配置され、このロック部材１８は、耳片１６，１６側部分が、図３の(a) ，(b) に示すように、ステップ本体１２の前端部下面にその幅方向全長に亘って取り付けられたアングル材からなる補強枠１９のコーナー開口部１９ｏに挿入されている。
【００１４】
各ブラケット１４は、図３の(b) 及び図４に示すように、両側板部１４ａ，１４ａと、両側板部１４ａ，１４ａをつなぐ底板部１４ｂとで略々下向きコ字状を成すもので、その底板部１４ｂがステップ本体１２の下面に固着されている。両側板部１４ａ，１４ａの内側の側板部１４ａに、下記ロックピン２０の係止軸部ｂが係入する係止孔２１が設けられている。
【００１５】
各ブラケット１４とこれに隣接するロック部材１８の各耳片１６との間には、基端側の枢軸部ａとこれに平行に延びる先端側の係止軸部ｂと両軸部ａ，ｂをつなぐ連結部ｃとからなる略Ｕ字状のロックピン２０が介装されていると共に、各ロックピン２０と各ブラケット１４との間には、係止軸部ｂをブラケット１４の係止孔２１に係入するように付勢するコイルバネ２２が介装されている。このコイルバネ２２は、ロックピン２０の枢軸部ａに嵌装されて、一端部が止着ピン２５で枢軸部ａの先端部に止着され、他端部がブラケット１４の外側板部１４ａに弾接される。ロックピン２０の枢軸部ａは、常時、ブラケット１４の両側壁部１４ａ，１４ａ及びロック部材１８の耳片１６側を貫通し、係止軸部ｂは、常時ロック部材１８の耳片１６を貫通すると共にコイルバネ２２の付勢力によってブラケット１４の係止孔２１に係入している。
【００１６】
従って、ロック部材１８は、ロックピン２０の枢軸部ａにより、足場用建枠２の横材３に係合してフック本体１３の上方への移動を阻止するロック位置（図６の(a) 参照）と、前記横材３から離間してフック本体１３の上方移動を許すロック解除位置（図６の(b) 参照）とに亘って回転可能に各ブラケット１４に軸支されていて、常時はコイルバネ２２の付勢力で係止軸部ｂをブラケット１４の係止孔２１に係止することによってロック位置にロックされている。
【００１７】
また、ロック部材１８と各ブラケット１４との間には、各ロックピン２０の係止軸部ｂが各ブラケット１４の係止孔２１から離脱した状態にある時、ロック部材１８をロック位置に付勢するように作用するコイルバネ２３が介装されている。即ち、このコイルバネ２３は、図３及び図４に二点鎖線によって概略示すように、ロックピン２０の枢軸部ａに嵌装されて、その一端部が補強枠１９に取り付けられ、その他端部がロック部材１８の耳片１６側に取り付けられている。
【００１８】
そしてまた、ステップ本体１２の前端部には、ステップ本体１２の表側から片方の手の２本の指を挿入して左右一対のロックピン２０，２０を操作するための操作用開口部２４，２４が開口形成されている。
【００１９】
従って、ロック部材１８が図６の(a) に示すようにロック位置にロックされている時、このロック部材１８をステップ本体１２の表側からロック解除するには、この２つの操作用開口部２４，２４に例えば右手の親指と人差指を差し込んで、左右両ロックピン２０，２０を図４に示す状態から対向方向に引き寄せると、図５に示すように各ロックピン２０の係止軸部ｂが各ブラケット１４の係止孔２１から離脱し、しかして両ロックピン２０，２０を引き寄せたまま、両ロックピン２０，２０の係止軸部ｂ，ｂを持ち上げるようにすることにより、ロック部材１８は、両ロックピン２０，２０の枢軸部ａ，ａを中心に回転してロック片１５，１５が横材３から離間し、図６の(b) に示すようにロック解除状態となる。
【００２０】
こうしてロック部材１８がロック解除した状態で、ステップ本体１２を持ち上げれば、両側一対のフック本体１３，１３がそれぞれ足場用建枠２の横材３から上方へ抜け出て、コーナーステップ１１を取り外すことができる。
【００２１】
このコーナーステップ１１のロック部材１８は、両フック本体１３，１３の中間位置にロック部材１８と一体に形成した左右一対のロック片１５，１５を備えているから、この一対のロック片１５，１５によって足場用建枠２の横材３を的確に掴持することができ、従ってステップ本体１２を安定状態で設置することができる。
【００２２】
また、ステップ本体１２の下面側に左右一対のロック部材取付用ブラケット１４，１４を取り付け、両ブラケット１４，１４間にはロック片１５を夫々有する左右一対の耳片１６，１６と、両耳片１６，１６をつなぐ連結片１７とからなるロック部材１８を配置し、各ブラケット１４とロック部材１８の各耳片１６との間には、基端側の枢軸部ａとこれに平行な先端側の係止軸部ｂを有する略Ｕ字状のロックピン２０を介装すると共に、各ロックピン２０と各ブラケット１４との間には係止軸部ｂをブラケット１４に設けた係止孔２１に係入するように付勢するバネ２２を介装し、ロック部材１８は、各ロックピン２０の枢軸部ａによりロック位置とロック解除位置とに亘って回転可能に各ブラケット１４に軸支され、常時は係止軸部ｂをブラケット１４に設けた係止孔２１に係入することによってロック位置にロックされるようにし、しかして左右一対のロックピン２０，２０をステップ本体１２の前端部に設けた２つの操作用開口部２４，２４より２本の指を差し込んで両ロックピン２０，２０を引き寄せることにより、ロック位置にある両係止軸部ｂ，ｂを係止孔２１，２１から抜いてロック解除するようにしたから、ロック部材１８のロック解除操作をステップ本体１２の表側から作業者の手の２本の指でステップ本体１２の表側から簡単容易に行うことができる。
【００２３】
また、上述した実施形態のコーナーステップでは、ロック部材１８と各ブラケット１４との間に、各ロックピン２０の係止軸部ｂが各ブラケット１４の係止孔２１から離脱した状態でロック部材１８をロック位置に付勢するバネ２３を介装しているため、操作用開口部２４，２４から指で両ロックピン２０，２０を引き寄せることにより両係止軸部ｂ，ｂを係止孔２１，２１から抜いてロック解除した後、両ロックピン２０，２０から指を解放すれば、バネ２３によってロック部材１８がロック位置に回動するように付勢されるから、ロック部材１８のロック操作が容易となって、コーナーステップ１１の取付作業が容易となる。
【図面の簡単な説明】
【００２４】
【図１】(a) は本発明に係るコーナーステップの取付状態を示す概略平面図、(b) は同取付状態の側面図である。
【図２】図１の一部拡大平面図である。
【図３】(a) は図２のＸ−Ｘ線断面図、(b) は図２のＹ−Ｙ線断面図である。
【図４】コーナーステップの要部構造を下面側から見た底面図で、ロック部材がロック位置にある状態を示す。
【図５】ロック部材がロック解除位置にある図４と同様な底面図である。
【図６】(a) はロック部材がロック位置にある状態の側面図、(b) はロック部材がロック解除位置にある状態の側面図である。
【図７】従来のコーナーステップの取付状態を示す概略平面図である。
【図８】(a) は従来のコーナーステップを示す平面図、(b) は側面図、(c) はコーナーステップのフックを示す側面図である。
【図９】(a) は足場板の妻側端面と横材との間に隙間ができる足場板を示す平面図、 (b)は妻側端部に隙間塞ぎカバー部が取り付けてある足場板を示す平面図である。
【符号の説明】
【００２５】
１            足場板
２            足場用建枠
３            足場用建枠の横材
１１          本発明に係るコーナーステップ
１２          ステップ本体
１３          フック本体
１４          ロック部材取付用のブラケット
１５          ロック片
１６          耳片
１７          連結片
１８          ロック部材
２０          ロックピン
２１          係止孔
２２          バネ
２３          バネ
２４          操作用開口部
【図１】
2008050825.tif 000003
【図２】
2008050825.tif 000004
【図３】
2008050825.tif 000005
【図４】
2008050825.tif 000006
【図５】
2008050825.tif 000007
【図６】
2008050825.tif 000008
【図７】
2008050825.tif 000009
【図８】
2008050825.tif 000010
【図９】
2008050825.tif 000011